(57)【要約】【課題】インターロック回路を構成する作業を簡略化する。【解決手段】可動側コネクタ８０と待ち受け側コネクタ６０の嵌合・離脱状態を電気的に検知するインターロック回路１００が具備される。インターロック回路１００は、可動側コネクタ８０に設けられた可動側検知端子１０１と、機器側から引き出された待ち受け側検知端子１２０と、両検知端子を接続する中継導体１１０と、を備え、中継導体１１０は、可動側検知端子１０１と接続される一端側が待ち受け側コネクタ６０の嵌合面に臨み、待ち受け側検知端子１２０と接続される他端側が筐体２０の導入孔２２に臨んだ形態において、インサート成形により待ち受け側コネクタ６０に一体的に設けられている。【選択図】図４
2016213048.tif 000002
【特許請求の範囲】
【請求項１】
機器のケースに装着され、装着面となる一面に機器側端子を導入可能な導入孔が、他の面にコネクタ装着部がそれぞれ設けられた筐体と、
ハーネスの端末に設けられ各電線に接続された端子金具が収容された可動側コネクタと、
前記筐体の前記コネクタ装着部に前記可動側コネクタと嵌合可能に装着され、基端が前記端子金具と接続可能で、先端が前記機器側端子の先端と重ね合わせ可能な電線側端子が保持された待ち受け側コネクタと、
前記電線側端子と前記機器側端子とをボルト締結するために前記筐体に設けられた開口部と、
前記開口部を閉鎖するべく着脱可能に設けられたサービスカバーと、
前記可動側コネクタと前記待ち受け側コネクタの嵌合・離脱状態を電気的に検知するインターロック回路と、
が具備され、
前記インターロック回路は、前記可動側コネクタに設けられた可動側検知端子と、機器側から引き出された待ち受け側検知端子と、前記両検知端子を接続する中継導体と、を備え、
かつ前記中継導体は、前記可動側検知端子と接続される一端側が前記待ち受け側コネクタの嵌合面に臨み、前記待ち受け側検知端子と接続される他端側が前記筐体の前記導入孔に臨んだ形態において、インサート成形により前記待ち受け側コネクタに一体的に設けられている機器用コネクタ装置。
【請求項２】
前記中継導体が一対のバスバーから構成されている一方、前記可動側検知端子がショートピンであり、前記バスバーと前記ショートピンとは、両端に雌形嵌合部を備えた中継端子を介して接続されている請求項１に記載の機器用コネクタ装置。
【請求項３】
前記中継導体が一対のバスバーから構成され、前記待ち受け側コネクタには前記バスバーの他端側を装着した雄コネクタが形成される一方、前記待ち受け側検知端子が収容された雌コネクタが設けられ、同雌コネクタを前記雄コネクタに嵌合することにより、前記バスバーと前記待ち受け側検知端子とが接続される請求項１または請求項２に記載の機器用コネクタ装置。
【請求項４】
前記待ち受け側コネクタが装着される前記コネクタ装着部が、前記筐体における前記装着面と隣り合った面に設けられ、前記電線側端子と前記機器側端子とが互いに直交した姿勢でボルト締めされるようになっており、前記中継導体はＬ字形をなして前記待ち受け側コネクタに一体的に設けられている請求項１ないし請求項３のいずれか一項に記載の機器用コネクタ装置。
【発明の詳細な説明】
【技術分野】
【０００１】
本明細書によって開示される技術は、インターロック回路を備えた機器用コネクタ装置に関する。
【背景技術】
【０００２】
機器用コネクタ装置の一例として、サービスカバーを利用して対応する端子同士をボルト締結する形式のものが知られている。このものは、機器のケースに装着される筐体を備え、この筐体の装着面から機器側端子が導入されるとともに、筐体の他の面に、機器側端子と先端同士が重ね合わされる電線側端子を保持した待ち受け側コネクタが装着されている。一方、ハーネスの端末には、電線に接続された端子金具が収容された可動側コネクタが、上記した待ち受け側コネクタと嵌合可能に設けられた構造となっている。
サービスカバーを外すことで開放された筐体の上面の開口部を通し、機器側端子と電線側端子の重ね合わせ部分をボルト締めして接続したのち、待ち受け側コネクタに可動側コネクタを嵌合すると、電線の端末の端子金具と、待ち受け側コネクタに保持された対応する電線側端子とが接続されて、所定の導電路が形成される。
【０００３】
一方、この種のコネクタ装置では、可動側コネクタを待ち受け側コネクタから引き離した場合に放電等が生じることを回避するために、両コネクタの間に、両コネクタの嵌合・離脱状態を電気的に検知するインターロック回路が設けられ、両コネクタが正規嵌合されたところでインターロック回路がオンして導電路が導通状態となり、一方可動側コネクタを外す場合には、先にインターロック回路がオフとなって導電路が遮断状態となったのちに、両コネクタが離脱されるようになっている。この種のインターロック回路が具備されたコネクタ装置は、例えば下記特許文献１に記載されている。
【０００４】
ここで、上記したようなサービスカバーを利用した機器用コネクタ装置において、インターロック回路を構成する場合には、可動側コネクタの嵌合面に、可動側検知端子であるショートピンを設ける一方、機器側から引き出されるリード線の端末に設けた待ち受け側検知端子をハウジング内に収容したインターロックコネクタを備え、同インターロックコネクタを、待ち受け側コネクタの嵌合面における対向位置に装着する構造が考えられる。
【先行技術文献】
【特許文献】
【０００５】
【特許文献１】特開２０１３−１６１５７６号公報
【発明の概要】
【発明が解決しようとする課題】
【０００６】
しかしながら上記構造のものは、インターロックコネクタを待ち受け側コネクタに装着するに際しては、機器用コネクタ装置の組付現場において、筐体のサービスカバーを外し、機器側からリード線ごと引き出されたインターロックコネクタを、開口部から手を入れて狭い筐体内に通しつつ待ち受け側コネクタの嵌合面に装着する必要がある。また、メンテナンス等において筐体を機器のケースから外す場合には、それに先だって、サービスカバーを外して狭い筐体内でインターロックコネクタを待ち受け側コネクタから取り外す必要がある。端的には、インターロック回路の一部を構成するインターロックコネクタの着脱作業が面倒である嫌いがあった。
本明細書によって開示される機器用コネクタ装置は、上記のような事情に基づいて完成されたものであって、その目的は、インターロック回路を構成する作業を簡略化するところにある。
【課題を解決するための手段】
【０００７】
本明細書によって開示される機器用コネクタ装置は、機器のケースに装着され、装着面となる一面に機器側端子を導入可能な導入孔が、他の面にコネクタ装着部がそれぞれ設けられた筐体と、ハーネスの端末に設けられ各電線に接続された端子金具が収容された可動側コネクタと、前記筐体の前記コネクタ装着部に前記可動側コネクタと嵌合可能に装着され、基端が前記端子金具と接続可能で、先端が前記機器側端子の先端と重ね合わせ可能な電線側端子が保持された待ち受け側コネクタと、前記電線側端子と前記機器側端子とをボルト締結するために前記筐体に設けられた開口部と、前記開口部を閉鎖するべく着脱可能に設けられたサービスカバーと、前記可動側コネクタと前記待ち受け側コネクタの嵌合・離脱状態を電気的に検知するインターロック回路と、が具備され、前記インターロック回路は、前記可動側コネクタに設けられた可動側検知端子と、機器側から引き出された待ち受け側検知端子と、前記両検知端子を接続する中継導体と、を備え、かつ前記中継導体は、前記可動側検知端子と接続される一端側が前記待ち受け側コネクタの嵌合面に臨み、前記待ち受け側検知端子と接続される他端側が前記筐体の前記導入孔に臨んだ形態において、インサート成形により前記待ち受け側コネクタに一体的に設けられているところに特徴を有する。
【０００８】
待ち受け側コネクタが装着された筐体を機器のケースに装着すると、装着面の導入孔から機器側端子が導入されることにより、機器側端子と待ち受け側コネクタに保持された電線側端子との先端同士が重ねられる。次に、サービスカバーを外すことで開放された筐体の開口部を通して、機器側端子と電線側端子の重ね合わせ部分をボルト締めすることにより両端子の導通が採られ、そののちサービスカバーが閉じられる。それとともに、機器側から引き出された待ち受け側検知端子が、待ち受け側コネクタに一体的に設けられて筐体の導入孔に臨んでいる中継端子の他端側に接続され、これによりインターロック回路の言わば待ち受け側回路が形成される。
【０００９】
この状態から、ハーネスの端末に設けられた可動側コネクタが待ち受け側コネクタに嵌合されると、各電線の端末の端子金具が対応する電線側端子と個別に接続され、これにより所定の導電路が構成される。それとともに、可動側検知端子が待ち受け側コネクタの嵌合面に臨んだ中継導体の一端側と接続され、インターロック回路がオンとなって導電路が導通状態とされる。
可動側コネクタが待ち受け側コネクタから離脱されると、完全に離脱するまでの間に、可動側検知端子と中継導体の一端側との接続が解除され、インターロック回路がオフとなって導通路が遮断状態とされる。
【００１０】
インターロック回路を構成するべく機器側から引き出された待ち受け側検知端子を待ち受け側コネクタに装着する部分について、待ち受け側コネクタに中継導体をインサート成形により一体に設けて、待ち受け側検知端子との接続端を筐体の導入孔に臨んで配した構造としたから、待ち受け側検知端子の着脱を、サービスカバーを外すことなく待ち受け側コネクタの装着面において行うことができる。すなわち、インターロック回路を構成する作業が簡略できる。
【００１１】
また、以下のような構成としてもよい。
（１）前記中継導体が一対のバスバーから構成されている一方、前記可動側検知端子がショートピンであり、前記バスバーと前記ショートピンとは、両端に雌形嵌合部を備えた中継端子を介して接続されている。中継導体としてバスバーが適用できることで、構造が簡単に纏まる。
【００１２】
（２）前記中継導体が一対のバスバーから構成され、前記待ち受け側コネクタには前記バスバーの他端側を装着した雄コネクタが形成される一方、前記待ち受け側検知端子が収容された雌コネクタが設けられ、同雌コネクタを前記雄コネクタに嵌合することにより、前記バスバーと前記待ち受け側検知端子とが接続される。
機器側から引き出された雌コネクタを待ち受け側コネクタに設けられた雄コネクタに嵌合・離脱することにより、待ち受け側検知端子と中継導体との接続とその解除とが行われる。待ち受け側検知端子の着脱動作を簡単にかつ確実に行うことができる。
【００１３】
（３）前記待ち受け側コネクタが装着される前記コネクタ装着部が、前記筐体における前記装着面と隣り合った面に設けられ、前記電線側端子と前記機器側端子とが互いに直交した姿勢でボルト締めされるようになっており、前記中継導体はＬ字形をなして前記待ち受け側コネクタに一体的に設けられている。
ハーネスが、筐体における装着面とは隣り合った面から引き出される構造であるから、筐体の突出端側の省スペース化を図ることができる。
【発明の効果】
【００１４】
本明細書によって開示される機器用コネクタ装置によれば、インターロック回路を構成する作業を簡略化することができる。
【図面の簡単な説明】
【００１５】
【図１】実施形態に係る機器用コネクタ装置の分解斜視図
【図２】機器用コネクタ装置の組み付け前の状態の平面図
【図３】同正面図
【図４】図３のIV−IV線断面図
【図５】待ち受け側コネクタの嵌合面側から視た正面図
【図６】機器用コネクタ装置の組み付け完了状態の平面図
【図７】同正面図
【図８】同背面図
【図９】同平断面図
【発明を実施するための形態】
【００１６】
＜実施形態＞
実施形態を図１ないし図９に基づいて説明する。
本実施形態は、電源と車載機器とを結ぶ電気系統に介設される機器用コネクタ装置を例示しており、図１に示すように、機器のケースの縦面に装着される筐体２０と、筐体２０の背面である装着面２１側から導入される２本の機器側端子１０と、各機器側端子１０と個別に接続される２本の電線側端子６１を保持して筐体２０の右側面に装着される待ち受け側コネクタ６０と、２本の電線ＷからなるハーネスＷＨの端末において上記の待ち受け側コネクタ６０と嵌合可能に設けられた可動側コネクタ８０等を備えて構成されている。
【００１７】
機器側端子１０は、直線状のバスバー（Ｉ字形端子）から構成され、長さが異なる２本が備えられている。２本の機器側端子１０は、それぞれの基端が揃って機器の端子接続部（図示せず）に接続されて、手前側に向けて突出するように配されており、両機器側端子１０の先端部は、ケースの縦面に開口された取付孔を貫通してケースの手前側に突出するようになっている。両機器側端子１０の長さが異なっていることから、図４に示すように、短寸側の機器側端子１０Ｓの先端部よりも、長寸側の機器側端子１０Ｌの先端部の方が手前側に大きく突出する。両機器側端子１０の先端部には、ボルト挿通孔１１が開口されている。
【００１８】
筐体２０はアルミダイキャスト製であって、シールド体としての機能も兼用しており、概ね扁平な方形箱状に形成されている。筐体２０の装着面２１（ケースに当てられる背面）には、図８に示すように、上記した機器側端子１０が導入可能な導入孔２２が形成されている。導入孔２２は、ケースの取付孔と整合した形状に形成され、後記するインターロックコネクタ１０５も導入可能となっている。
筐体２０の装着面２１の四つ角には、ボルト挿通孔２４が開口された取付片２３が突出形成されている。装着面２１の表面において導入孔２２の孔縁に沿うようにして形成されたパッキン装着溝２６には、取付孔の孔縁部に当接可能なパッキン２５が装着されている。
【００１９】
筐体２０の導入孔２２には、合成樹脂製の絶縁カバー３０（図１参照）が装着されている。絶縁カバー３０は、図４に示すように、導入孔２２における背面視で左側の領域に嵌る基部３１から、上下一対の板部３２が突出形成された形状であって、この基部３１には、上記した各機器側端子１０が貫通して挿入される２個の挿入溝３３が並んで形成されている。両挿入溝３３の内端面の間には、仕切壁３３Ａが上下の板部３１の間に亘って形成されている。なお、絶縁カバー３０における背面視で右側縁における基部３１寄りの位置には、インターロック回路１００の一部を構成するコネクタ部１２０が設けられているが、これについては後述する。
絶縁カバー３０は導入孔２２に背面側から挿入されて、図４に示すように、上下の板部３２の先端が筐体２０の手前側の内壁面に当たったところで正規装着され、基部３１並びにコネクタ部１２０が導入孔２２を塞いだ状態となる。
【００２０】
筐体２０は、絶縁カバー３０が予め装着された状態において、装着面２１が、導入孔２２を取付孔に整合させた形態でケースの縦面に当てられ、四つ角の取付片２３をボルト締めすることにより、ケースの縦面に取り付けられるようになっている。その際、パッキン２５により取付孔の回りがシールされる。また、機器から突設された２本の機器側端子１０Ｓ，１０Ｌが、絶縁カバー３０の基部３１の挿入溝３３を通って、筐体２０の内部、詳細には、絶縁カバー３０の上下の板部３２の間に仕切壁３３Ａを挟んで導入されるようになっている。
このとき、両機器側端子１０Ｓ，１０Ｌの先端部の進出量が異なるが、絶縁カバー３０の上板３２Ｕには、各機器側端子１０Ｓ，１０Ｌの先端部のボルト挿通孔１１と対応する位置に、それぞれ円形の作業孔３４が開口されている。
【００２１】
筐体２０における装着面２１とは直角をなして隣り合った右側面には、待ち受け側コネクタ６０が嵌着されるコネクタ装着部３５が形成されている。このコネクタ装着部３５は、図４にも示すように、横長の長円形をなす筒形に形成されている。
コネクタ装着部３５の嵌合端側（図４の右側）における手前側の面には、待ち受け側コネクタ６０を締結して取り付けるための第１締結部３６が手前側に向けて突出形成され、第１締結部３６には行き止まり状のボルト孔３６Ａが形成されている。コネクタ装着部３５の同じく嵌合端側における上面の中央長さ位置には、後記する可動側コネクタ８０を締結して取り付けるための第２締結部３７が立ち上がり形成され、第２締結部３７には貫通状のボルト孔３８が形成されている。
【００２２】
待ち受け側コネクタ６０を先に説明する。待ち受け側コネクタ６０は雄側のコネクタであって、上記した機器側端子１０と個別にボルト締結される２本の電線側端子６１と、これらの２本の電線側端子６１を保持する雄ハウジング６５とを備えている。
電線側端子６１は、基端側に丸ピン端子６２が設けられたバスバー（Ｉ字形端子）からなり、バスバーの延出長さが異なる２種類が備えられている。両電線側端子６１Ｓ，６１Ｌの先端部には、ボルト孔６３が形成されている。
【００２３】
雄ハウジング６５は合成樹脂製であって、図４に示すように、横長の長円形で後面（同図の右側の面）が開放されたフード状をなすハウジング本体６６を備えており、このハウジング本体６６の前面には、２本の端子台６７が並んで突出形成されている。
ハウジング本体６６は、前面（閉鎖面）側の方が、後面（開放面）側よりも内周面が少し縮径された段差状に形成されており、このハウジング本体６６の前端側が、上記した筐体２０におけるコネクタ装着部３５内に、第１シールリング６８Ａを介して水密に嵌着可能となっている。
【００２４】
端子台６７は、手前側と奥側とで突出長さが異なっており、奥側の短寸の端子台６７には短寸の電線側端子６１Ｓが、手前側の長寸の端子台６７には長寸の電線側端子６１Ｌがそれぞれ装着されている。両電線側端子６１Ｓ，６１Ｌの丸ピン端子６２は、端子台６７の基端部に設けられた挿通部６７Ａを通って、ハウジング本体６６内の前端側に並んで同じ寸法突出するようになっている。両丸ピン端子６２の間は、ハウジング本体６６内に設けられた絶縁用の仕切壁６９によって仕切られている。
【００２５】
待ち受け側コネクタ６０が、筐体２０のコネクタ装着部３５に正規量嵌合されると、図９に示すように、両端子台６７の先端部が筐体２０内に進出し、詳細には、各電線側端子６１の先端部が、絶縁カバー３０の上下の板部３２の間において、上板３２Ｕに開口された作業孔３４の直下にそれぞれ整合する位置まで進出するようになっている。
なお、待ち受け側コネクタ６０における雄ハウジング６５のハウジング本体６６の手前側の面には、筐体２０のコネクタ装着部３５に突設された第１締結部３６と対向してボルト支持部７０が突設され、同ボルト支持部７０には、第１締結部３６のボルト孔３６Ａに螺合される第１ボルト７１の挿通孔７０Ａが形成されている。
【００２６】
待ち受け側コネクタ６０が装着された状態から、筐体２０が上記のようにケースの縦面に取り付けられると、機器側端子１０が電線側端子６１の上面に沿うように筐体２０内に導入されることに伴い、図９に示すように、短寸側の機器側端子１０Ｓと電線側端子６１Ｓ、また長寸側の機器側端子１０Ｌと電線側端子６１Ｌが、互いに直交姿勢を取って、ボルト挿通孔１１とボルト孔６３とを同心に整合させつつ、先端部同士が上下に重ね合わされるようになっている。
【００２７】
筐体２０の上面には、上記の重ね合わされた機器側端子１０と電線側端子６１とをボルト締結するための作業用の開口部４０が形成されている。この開口部４０は、横長に扁平化された八角形状をなし、絶縁カバー３０の上板３２Ｕに形成された２個の作業孔３４を上方に開放できるように、正面視で左手前の角から右奥の角に向かう対角線に沿って形成されている。
筐体２０の上面には、開口部４０の口縁に沿うようにしてパッキン装着溝４１が形成され、同パッキン装着溝４１にパッキン４２が装着されている。また、筐体２０の上面における開口部４０の回りの３位置、詳細には、左手前角部、奥縁における左端部にやや寄った位置、並びに右側縁における手前側の端部にやや寄った位置の３位置に、後記するサービスカバー５０を取り付けるための取付座４３が設けられている。各取付座４３には、ボルト孔４３Ａが形成されている。
【００２８】
筐体２０の上面には、上記した開口部４０を覆うサービスカバー５０が着脱可能に被着されるようになっている。サービスカバー５０はアルミダイキャスト製であって、筐体２０の上面に被せられる概ね方形状をなすカバー本体５１と、コネクタ装着部３５の上面に被せられるべくカバー本体５１の右側縁から延出された延出部５２とを備えている。
カバー本体５１の周縁部における３位置、詳細には、上記の各取付座４３と対応した左手前角部、奥縁における左端部にやや寄った位置、並びに右側縁における手前側の端部にやや寄った位置の３位置に、第２ボルト５３が挿通されるボルト挿通孔５３Ａが形成されている。
【００２９】
延出部５２には、コネクタ装着部３５の上面の一部を上方に開放し、かつ同コネクタ装着部３５に立ち上がり形成された第２締結部３７を挿通可能な窓孔５５が開口されている。延出部５２の後縁には、後記する可動側コネクタ８０に設けられた第３ボルト９２を支持するボルト支持部９０との間で挟持される被挟持板５６が立ち上がり形成されている。被挟持板５６はより詳細には、第２締結部３７を窓孔５５に挿通しつつ延出部５２がコネクタ装着部３５の上面に当てられた場合に、第２締結部３７の右側面（ボルト支持部９０との対向面）に沿って立ち上がるように形成されている。被挟持板５６は、背の低い山形をなし、その頂上部には、第３ボルト９２の軸部を板厚方向に挿通可能とした断面略半円形をなす挿通溝５７が形成されている。
【００３０】
ハーネスＷＨの端末には、待ち受け側コネクタ６０と嵌合される可動側コネクタ８０が設けられている。可動側コネクタ８０は雌側のコネクタであって、各電線Ｗの端末に圧着された端子金具８１と、同端子金具８１が収容される雌ハウジング８２と、雌ハウジング８２の外周に嵌着されるシールドシェル８７等を備えて構成されている。
端子金具８１は例えばソケット端子であって、上記の待ち受け側コネクタ６０に支持された電線側端子６１の基端側の丸ピン端子６２と嵌合接続可能となっている。
【００３１】
雌ハウジング８２は合成樹脂製であって、図４に示すように、上記した待ち受け側コネクタ６０の雄ハウジング６５のハウジング本体６６における後部内に緊密に嵌合される嵌合部８３Ａと、同嵌合部８３Ａの後面における後面視で右端部に寄った位置に連設された幅狭部８３Ｂと、からなる段付状に形成されている。嵌合部８３Ａの前面における前面視で左端部に寄った位置には、２本の筒部８４が並んで形成されている。雌ハウジング８２内には、各筒部８４の先端開口から幅狭部８３Ｂの後面に達する２つの端子収容室８５が並んで形成されている。
各電線Ｗの端末に設けられた端子金具８１は、対応する端子収容室８５に後方から挿入され、ランスにより抜け止めされて収容され、各端子収容室８５の後端はゴム栓８６でシールされるようになっている。
雌ハウジング８２の嵌合部８３Ａの前面における前面視で右端部には、インターロック回路１００の一部を構成するショートピン装着部１０２が設けられているが、これについては後述する。
【００３２】
シールドシェル８７はアルミダイキャスト等により形成され、雌ハウジング８２の嵌合部８３Ａの後端部の外周にクリアランスを持って嵌合される前側筒部８８Ａの後方に、幅狭部８３Ｂの外周に略緊密に嵌合される後側筒部８８Ｂが連設された段付きの筒状に形成されている。このシールドシェル８７の後端部には、例えば２本の電線Ｗを覆って配された一括シールド部材の端末が嵌められて固定されるようになっている。
【００３３】
シールドシェル８７における前側筒部８８Ａの上面の前縁には、山形をなすボルト支持部９０が立ち上がり形成され、同ボルト支持部９０の頂上部には、上記した筐体２０に設けられた第２締結部３７のボルト孔３８と同軸で対向するようにしてボルト挿通孔９１が形成されている。このボルト挿通孔９１には、上記のボルト孔３８に螺合される第３ボルト９２が挿通され、Ｅリング９３等で抜け止めされることにより、第３ボルト９２が回転のみを自由に支持されている。
【００３４】
可動側コネクタ８０は、筐体２０に装着された待ち受け側コネクタ６０に対し、サービスカバー５０が被着された状態において嵌合されるようになっている。可動側コネクタ８０における雌ハウジング８２の嵌合部８３Ａが、待ち受け側コネクタ６０のハウジング本体６６に嵌合されると、嵌合途中でシールドシェル８７のボルト支持部９０に支持された第３ボルト９２の先端が、筐体２０に設けられた第２締結部３７のボルト孔３８に係合し、続いて同第３ボルト９２をねじ込むことで嵌合が進み、図９に示すように、嵌合部８３Ａの前面の周縁が、雄ハウジング６５のハウジング本体６６における内周の段差部６６Ａに当たったところで嵌合が停止し、正規嵌合状態となる。このとき、図６及び図７に示すように、サービスカバー５０に突設された被挟持板５６が、挿通溝５７に第３ボルト９２を貫通させつつ、第２締結部３７とボルト支持部９０との間に挟まれた状態となる。
【００３５】
正規嵌合状態では、図９に示すように、各電線Ｗの端末に設けられた端子金具８１が、待ち受け側コネクタ６０に支持された電線側端子６１の丸ピン端子６２と接続される。併せて、雄雌のハウジング６５，８２間が第３シールリング９５によりシールされ、また、シールドシェル８７の前側筒部８８Ａがハウジング本体６６の後端部の外周に嵌合され、第２シールリング６８Ｂでシールされる。
【００３６】
続いて、待ち受け側コネクタ６０と可動側コネクタ８０の嵌合・離脱状態を電気的に検知するインターロック回路１００について説明する。
図４に示すように、可動側コネクタ８０の雌ハウジング８２の嵌合部８３Ａの前面における右端部には、可動側検知端子であるショートピン１０１が装着されたショートピン装着部１０２が設けられている。
一方、機器側からはインターロックコネクタ１０５が導出されている。このインターロックコネクタ１０５は、機器側から引き出された一対のリード線１０６の先端に、待ち受け側検知端子である雌端子が接続され、両雌端子がハウジング１０７内に収容された構造である。
【００３７】
待ち受け側コネクタ６０の雌ハウジング８２には、両検知端子間を接続する中継導体１１０が設けられている。中継導体１１０は、Ｌ字形に曲げ形成された一対のバスバー１１１により構成されている。
雌ハウジング８２には、図４に示すように、長寸側の端子台６７の手前側に沿ってその基端から先端に向けて延出されたのち、奥側に向けて直角に曲げられてなるＬ字形をなすバスバー収容部１１２が形成されている。
【００３８】
バスバー収容部１１２の基端部には第１接続部１１３が設けられ、同第１接続部１１３は、上記のショートピン装着部１０２と対向した位置において、雄ハウジング６５におけるハウジング本体６６の奥面から突出した形態で形成されている。第１接続部１１３内には、両端が雌形嵌合部とされた中継端子１１５が装着される一対の装着溝１１４が形成されている（図９参照）。
一方、バスバー収容部１１２の先端部には、一対のロック片１１７を対向して備えたチャンネル形をなす第２接続部１１６が形成されている。
【００３９】
一対のＬ字形をなすバスバー１１１は、インサート成形によりバスバー収容部１１２に埋設された形態で雄ハウジング６５と一体的に形成されている。ここでバスバー１１１の基端部は、基端側の第１接続部１１３の装着溝１１４内に突出し、一方、先端部は、先端側の第２接続部１１６内に突出した形態を採る。基端側の第１接続部１１３の装着溝１１４に中継端子１１５が装着されると、一端側の雌形嵌合部がバスバー１１１の基端部と嵌合接続され、他端側の雌形嵌合部がショートピン１０１と嵌合可能に対向した状態となる。
【００４０】
上記した絶縁カバー３０には、インターロックコネクタ１０５と嵌合されるコネクタ部１２０が設けられている。このコネクタ部１２０の内部には、図１及び図８に示すように、インターロックコネクタ１０５が外面側から嵌合可能な嵌合孔１２１が形成されている。コネクタ部１２０の内方突出部には、上記したバスバー収容部１１２の第２接続部１１６が外嵌可能となっている。第２接続部１１６がコネクタ部１２０の内方突出部に嵌合されてロックされると、第２接続部１１６内に突出したバスバー１１１の先端部がコネクタ部１２０の嵌合孔１２１内に進出する。係る状態でコネクタ部１２０の嵌合孔１２１にインターロックコネクタ１０５が嵌合されると、同インターロックコネクタ１０５に収容された一対の雌端子（待ち受け側検知端子）が、一対のバスバー１１１の先端部と個別に接続されるようになっている。
【００４１】
本実施形態の作用を説明する。
コネクタ装置を機器のケースに組み付ける手順の一例は、以下のようである。ハーネスＷＨの端末には可動側コネクタ８０が接続され、すなわち２本の電線Ｗの端末に接続された端子金具８１が雌ハウジング８２の端子収容室８５に収容されるとともに、雌ハウジング８２の嵌合面に設けられたショートピン装着部１０２にショートピン１０１が装着される。また、シールドシェル８７の後端部に一括シールド部材が嵌着されるとともに、シールドシェル８７に立ち上がり形成されたボルト支持部９０に、第３ボルト９２が回転のみを自由に支持される。
【００４２】
筐体２０については、コネクタ装着部３５に待ち受け側コネクタ６０が、導入孔２２に絶縁カバー３０が順次に装着される。これに伴い、待ち受け側コネクタ６０の端子台６７に支持された電線側端子６１の先端部が、絶縁カバー３０の上板３２Ｕの各作業孔３４の直下位置まで進出する。また、待ち受け側コネクタ６０に設けられたバスバー収容部１１２の第２接続部１１６と、絶縁カバー３０に設けられたコネクタ部１２０とが接続され、バスバー１１１の先端部がコネクタ部１２０の嵌合孔１２１内に進出した状態となる。コネクタ部１２０は、導入孔２２における開口面から少し内方に入った位置に臨んでいる。
なお、筐体２０の上面にはサービスカバー５０が被せられて第２ボルト５３により仮止めされ、係る状態で機器への組み付け現場に搬入される。
【００４３】
組み付け現場では、まず機器のケースの取付孔からインターロックコネクタ１０５が引き出され、筐体２０の装着面２１の導入孔２２を通して同導入孔２２に臨んだコネクタ部１２０に嵌合され、インターロックコネクタ１０５に収容された２個の雌端子（待ち受け側検知端子）と、一対のバスバー１１１の先端部とが個々に接続される。これによりインターロック回路１００における言わば待ち受け側回路が形成される。
【００４４】
次に、筐体２０が機器のケースの縦面に取り付けられる。すなわち、機器のケースの取付孔から手前側に突出した２本の機器側端子１０を、導入孔２２から絶縁カバー３０の各挿入溝３３を通して内部に導入しつつ、筐体２０の装着面２１がケースの縦面に当てられ、四つ角の取付片２３をボルト締めすることにより、パッキン２５で取付孔の回りをシールした形態で取り付けられる。これに伴い２本の機器側端子１０は電線側端子６１と直交する姿勢を採った上で、先端部同士が上下に重ね合わされる。各重ね合わされた部分は、絶縁カバー３０の上板３２Ｕの各作業孔３４の直下に位置する。
【００４５】
次に、機器側端子１０と電線側端子６１との接続作業が行われる。それには、第２ボルト５３を緩めることにより仮止めされていたサービスカバー５０を外す。これにより筐体２０の上面の開口部４０が開放されるから、第４ボルト７５が開口部４０並びに作業孔３４を通って、重なり合った機器側端子１０の先端部のボルト挿通孔１１に挿通されたのち、電線側端子６１の先端部のボルト孔６３にねじ込まれることで接続される。
そののち、サービスカバー５０が筐体２０の上面に被せられ、３箇所において第２ボルト５３が締結されて固定される。このとき、開口部４０の回りでパッキン４２が弾縮されることにより開口部４０がシールされる。また、延出部５２の後縁に立ち上がり形成された被挟持板５６が、コネクタ装着部３５に立ち上がり形成された第２締結部３７の右側面に沿って配される。以上により、筐体２０のケースへの取付作業が完了する。
【００４６】
給電用の導電路を形成する場合は、筐体２０に装着された待ち受け側コネクタ６０に対し、ハーネスＷＨの端末に設けられた可動側コネクタ８０を嵌合する。嵌合が開始されると、シールドシェル８７のボルト支持部９０に支持された第３ボルト９２の先端が、筐体２０に設けられた第２締結部３７のボルト孔３８に係合し、続いて同第３ボルト９２をねじ込むことで、図９に示す正規位置まで嵌合される。このとき、サービスカバー５０に突設された被挟持板５６が、挿通溝５７に第３ボルト９２を貫通させつつ、第２締結部３７とボルト支持部９０との間に挟まれた状態となる。
【００４７】
待ち受け側コネクタ６０に対し可動側コネクタ８０が正規に嵌合されると、図９に示すように、各電線Ｗの端末の端子金具８１が、待ち受け側コネクタ６０に支持された対応する電線側端子６１の丸ピン端子６２と個別に接続され、これにより所定の導電路が構成される。それとともに、可動側コネクタ８０の嵌合面に設けられたショートピン装着部１０２が、待ち受け側コネクタ６０における嵌合面に設けられた第１接続部１１３と嵌合して、バスバー１１１の基端部とショートピン１０１とが中継端子１１５を介して接続され、インターロック回路１００がオンとなって導電路が導通状態とされる。
【００４８】
メンテナンス等を行うべくコネクタ装置を機器のケースから外す場合は、以下のような手順で行う。まず、ハーネスＷＨの端末の可動側コネクタ８０を、筐体２０に装着された待ち受け側コネクタ６０から離脱する。詳細には、第３ボルト９２を緩めることで可動側コネクタ８０を次第に離脱させ、第３ボルト９２がボルト孔３８から抜けたのちは、可動側コネクタ８０を手動により待ち受け側コネクタ６０から引き抜く。可動側コネクタ８０が待ち受け側コネクタ６０から完全に離脱されるまでの間に、ショートピン１０１が、バスバー１１１の基端部に接続されていた中継端子１１５から引き抜かれ、インターロック回路１００がオフとなって導通路が遮断状態とされる。
【００４９】
続いて、第２ボルト５３を緩めることでサービスカバー５０が外されるが、上記のように可動側コネクタ８０が待ち受け側コネクタ６０から離脱されることにより、シールドシェル８７のボルト支持部９０に支持された第３ボルト９２が、サービスカバー５０の延出部５２に設けられた被挟持板５６の後方に逃げるから、サービスカバー５０に対する係止が解除されてサービスカバー５０を上方に持ち上げつつ外すことができる。これにより開口部４０が開放されるから、同開口部４０並びに作業孔３４を通して第４ボルト７５を緩めて外すと、機器側端子１０と電線側端子６１の先端部同士の結合が解除される。
【００５０】
係る状態から筐体２０を手前側に引くと、２本の機器側端子１０が筐体２０の装着面２１から後方に次第に抜けつつ、筐体２０が次第に外される。このときインターロックコネクタ１０５は、コネクタ部１２０に嵌合したまま引き出されるが、機器側端子１０が完全に抜けたのち等に、筐体２０の導入孔２２に手を入れてインターロックコネクタ１０５をコネクタ部１２０から外す。これにより、筐体２０を機器のケースから完全に外すことが可能になる。
【００５１】
本実施形態によれば、以下のような効果を得ることができる。
インターロック回路１００を構成するべく機器側から引き出されたインターロックコネクタ１０５を、筐体２０に装着された待ち受け側コネクタ６０に装着する部分について、待ち受け側コネクタ６０の雄ハウジング６５に、中継導体１１０を構成する一対のバスバー１１１をインサート成形により一体に設け、同バスバー１１１の先端側を収容してインターロックコネクタ１０５と嵌合可能に形成されたコネクタ部１２０を、筐体２０の装着面２１の導入孔２２に臨んで配した構造としている。そのため、インターロックコネクタ１０５の着脱を、サービスカバー５０を外すことなく待ち受け側コネクタ６０の外面である装着面２１において行うことができ、結果、インターロック回路１００を構成する作業を簡単に行うことが可能となる。
【００５２】
中継導体１１０を構成するバスバー１１１と、可動側検知端子であるショートピン１０１とは雄端子同士の接続構造となるから、両端に雌形嵌合部を備えた中継端子１１５を介することで接続を可能としている。インサート成形される中継導体１１０としてバスバー１１１を適用できることで、構造を簡単に纏めることができる。
【００５３】
待ち受け側検知端子である雌端子を収容したインターロックコネクタ１０５を備えるとともに、中継導体１１０であるバスバー１１１の接続端を収容したコネクタ部１２０を待ち受け側コネクタ６０（絶縁カバー３０）に設けた構造とし、機器側から引き出されたインターロックコネクタ１０５を、筐体２０の導入孔２２に臨んで配されたコネクタ部１２０に嵌合・離脱することにより、雌端子とバスバー１１１との接続とその解除とが行われる。待ち受け側検知端子である雌端子の着脱動作を簡単にかつ確実に行うことができる。
【００５４】
ハーネスＷＨが、筐体２０における装着面２１とは直角をなして隣り合った面から引き出される構造であるから、機器用コネクタ装置の突出端側の省スペース化を図ることができる。
【００５５】
＜他の実施形態＞
本明細書で開示される技術は、上記記述及び図面によって説明した実施形態に限定されるものではなく、例えば次のような実施形態も含まれる。
（１）中継導体を構成するバスバーにおけるショートピンと接続される側の端部に雌形接続部を形成し、中継端子を介することなく同雌形接続部をショートピンと直接に接続する構造としてもよい。
（２）インターロックコネクタの構造は、バスバーの接続端を収容したコネクタ部の構造に合わせて適宜に設定できる。また、インターロックコネクタを備えることなく、機器側から引き出した待ち受け側検知端子を、バスバーの接続端を収容したコネクタ部に直接に接続する構造であってもよい。
【００５６】
（３）上記実施形態では、インターロックコネクタと嵌合されるコネクタ部が絶縁カバーに設けられた構造を例示したが、同コネクタ部は、待ち受け側コネクタのハウジング自体に設けるようにしてもよい。
（４）上記実施形態では、機器側端子と電線側端子とを直交姿勢でボルト締結する形式のものを例示したが、これに限らず、両端子が真直姿勢で対向する等、他の姿勢でボルト締結する形式のものにも適用可能である。
（５）上記実施形態では、電源と車載機器とを結ぶ電気系統に介設される機器用コネクタ装置を例示したが、他の電気系統を構成するべく機器に装着されるコネクタ装置全般に広く適用することができる。
【符号の説明】
【００５７】
１０，１０Ｓ，１０Ｌ…機器側端子
２０…筐体
２１…装着面
２２…導入孔
３５…コネクタ装着部
４０…開口部
５０…サービスカバー
６０…待ち受け側コネクタ
６１，６１Ｓ，６１Ｌ…電線側端子
６２…丸ピン端子
７５…第４ボルト
８０…可動側コネクタ
８１…端子金具
１００…インターロック回路
１０１…ショートピン（可動側検知端子）
１０５…（待ち受け側検知端子を収容した）インターロックコネクタ（雌コネクタ）
１０６…リード線
１１０…中継導体
１１１…バスバー
１１２…バスバー収容部
１１３…第１接続部
１１５…中継端子
１１６…第２接続部
１２０…コネクタ部（雄コネクタ）
Ｗ…電線
ＷＨ…ハーネス
【図１】
2016213048.tif 000003
【図２】
2016213048.tif 000004
【図３】
2016213048.tif 000005
【図４】
2016213048.tif 000006
【図５】
2016213048.tif 000007
【図６】
2016213048.tif 000008
【図７】
2016213048.tif 000009
【図８】
2016213048.tif 000010
【図９】
2016213048.tif 000011